(57)【要約】【課題】  ＯＰＣ処理の連続を回避してバッファ容量を節約することができる光ディスク装置及び光ディスク記録方法を提供する。【解決手段】  第１記録層及び第２記録層をもつ光ディスクにレーザ光を照射して情報を記録する記録部と、記録部が光ディスクの第１記録層への記録処理が停止した際に記録停止位置Ｔを管理する管理部２１と、この記録停止位置Ｔが第１記録層の最終位置Ｌから所定距離αの範囲内にある場合、記録停止位置Ｔから最終位置Ｌの記録領域にパディング処理を行なう制御部をもつ光ディスク装置。【選択図】図１
2008159220.tif 000002
【特許請求の範囲】
【請求項１】
第１記録層及び第２記録層をもつ光ディスクにレーザ光を照射して情報を記録する記録部と、
前記記録部が前記光ディスクの前記第１記録層への記録処理が停止した際に、記録停止位置を管理する管理部と、
前記管理部が管理している前記記録停止位置が前記第１記録層の最終位置から所定距離の範囲内にある場合、前記記録部を用いて、前記記録停止位置から前記最終位置の記録領域にパディング処理を行なう制御部と、を具備することを特徴とする光ディスク装置。
【請求項２】
前記制御部は、前記パディング処理を施した前記光ディスクに再び記録処理を行なう場合は、前記第２記録層の最初の記録領域から記録処理を開始することを特徴とする請求項１記載の光ディスク装置。
【請求項３】
前記制御部は、前記光ディスクが更に第３記録層をもつ場合、前記管理部が管理している前記記録停止位置が前記第２記録層の最終位置から所定距離の範囲内にある場合についても、前記記録部を用いて、前記記録停止位置から前記最終位置の記録領域にパディング処理を行なうことを特徴とする請求項１記載の光ディスク装置。
【請求項４】
前記制御部は、前記光ディスクの第１記録層及び第２記録層に対して記録を開始する際は、記録を行なう記録層に対してＯＰＣ処理を行いその結果に応じたレーザの強度または変調方式で記録を行なうことを特徴とする請求項１記載の光ディスク装置。
【請求項５】
第１記録層及び第２記録層をもつ光ディスクにレーザを照射して情報を記録し、
前記光ディスクの前記第１記録層への記録処理が停止した際に、記録停止位置を測定し、
前記測定した前記記録停止位置が前記第１記録層の最終位置から所定距離の範囲内にある場合、前記記録停止位置から前記最終位置の記録領域にパディング処理を行なうことを特徴とする光ディスク記録方法。
【請求項６】
前記パディング処理を施した前記光ディスクに再び記録処理を行なう場合は、前記第２記録層の最初の記録領域から記録処理を開始することを特徴とする請求項５記載の光ディスク記録方法。
【請求項７】
前記光ディスクが更に第３記録層をもつ場合、前記記録停止位置が前記第２記録層の最終位置から所定距離の範囲内にある場合についても、前記記録停止位置から前記最終位置の記録領域にパディング処理を行なうことを特徴とする請求項５記載の光ディスク記録方法。
【請求項８】
前記光ディスクの第１記録層及び第２記録層に対して記録を開始する際は、記録を行なう記録層に対してＯＰＣ処理を行いその結果に応じたレーザの強度または変調方式で記録を行なうことを特徴とする請求項５記載の光ディスク記録方法。
【発明の詳細な説明】
【技術分野】
【０００１】
この発明は、多層の光ディスクに対してＯＰＣ（Optimum Power Control）処理を行なう光ディスク装置及び光ディスク記録方法に関する。
【背景技術】
【０００２】
近年、光ディスクは、様々な仕様のものが開発され製造され普及してきている。このような光ディスクにおいては、光ディスクの物理特性に最適のレーザ光等のストラテジにより記録処理を行なうべく、実際に記録する前にＯＰＣ処理を行なって適切なストラテジを決定する。従って、ＯＰＣ処理に関する多くの技術情報の開示されている。
【０００３】
特許文献１は、第１記録層の内周側に位置する、例えばＰＣＡ（Power Calibration Area）である第１試し書き領域及び第２記録層の内周側に位置する第２試し書き領域に対して、第１記録層または第２記録層へ記録する以前または直前にまとめてＯＰＣ処理（試し書き処理）を行なう技術が開示されている。これにより、試し書き時よる迅速な層間ジャンプが可能となるため、トータルの処理時間を短縮することができる。
【特許文献１】特開２００６−１９０４８０号公報。
【発明の開示】
【発明が解決しようとする課題】
【０００４】
しかし、特許文献１の従来技術では、二つの層のＯＰＣ処理を連続して行なうことで、ライトバッファにリアルタイムの映像情報が蓄積されることになり、これにより二回分のＯＰＣ処理の時間のバッファ容量が必要となり、バッファ容量の増大がコスト高を招くという問題がある。バッファ容量の増大を抑えるためディスクに映像情報を記録する前に、事前にＯＰＣ処理を行なう方法もあるが、再生のみの使用であっても、限りあるリソースであるＰＣＡ領域を消費してしまうことになり、ＰＣＡ領域が枯渇することで必要なときに記録できない等の問題がある。
【０００５】
本発明は、ＯＰＣ処理の連続を回避してバッファ容量を節約することができる光ディスク装置及び光ディスク記録方法を提供することを目的とする。
【課題を解決するための手段】
【０００６】
この発明の課題を解決するための一実施形態は、
第１記録層及び第２記録層をもつ光ディスクにレーザ光を照射して情報を記録する記録部（１８）と、
前記記録部が前記光ディスクの前記第１記録層への記録処理が停止した際に、記録停止位置（Ｔ）を管理する管理部（１９）と、
前記管理部が管理している前記記録停止位置（Ｔ）が前記第１記録層の最終位置（Ｌ）から所定距離（α）の範囲内にある場合、前記記録部を用いて、前記記録停止位置（Ｔ）から前記最終位置（Ｌ）の記録領域にパディング処理を行なう制御部（１１，１４）と、
を具備することを特徴とする光ディスク装置である。
【発明の効果】
【０００７】
光ディスクの第１層目の終端部分で記録処理が停止すると以降をパディング処理して次の記録処理を第２層目から開始させることで、第１層目のＯＰＣ処理と第２層目のＯＰＣ処理との連続発生を回避し、バッファ容量をＯＰＣ処理１回分に抑えることができる。
【発明を実施するための最良の形態】
【０００８】
以下、この発明の実施の形態について図面を参照して詳細に説明する。  
図１は、本発明の一実施形態に係る光ディスク装置の構成の一例を示すブロック図である。
【０００９】
＜本発明の一実施形態に係る光ディスク装置＞
（構成）  
本発明の一実施形態に係る光ディスク装置１０は、図１に示すように、全体の制御を統括するＣＰＵ１１と、これにケーブルでそれぞれ接続され映像データを装置に入力する映像データ入力部１２と、映像データを装置から外部に出力する映像データ出力部１２−２と、入力データを一時格納するデータバッファ部１２−３と、映像データや管理データをファイルとして書き込み／読み込みするためのファイルシステム部１３を有している。
【００１０】
更に、光ディスク装置１０は、図１に示すようにドライブ部１７をもっており、ドライブ部１７は、光ディスクＤにデータを記録するための書き込み機能及び記録メディアからデータを読み出す読み込み機能を有するヘッダドライバ部とこれに制御されるヘッダ／ドライバ部１８と、試し書き領域に試し書きを行いレーザ光の強度または変調方式等の記録ストラテジ等を決定する処理であるＯＰＣ処理を行なうＯＰＣ処理部１５と、記録部が光ディスクの第１記録層への記録処理が停止した際に、記録停止位置（Ｔ）を測定する記録停止位置測定部１９と、多層の光ディスクＤの記録領域の層境界の位置を測定するディスク情報管理部２１を有している。
【００１１】
（記録処理）
上記した構成の光ディスク装置１０において、記録処理の手順を図２のフローチャートを用いて説明する。図２は、本発明の一実施形態に係る光ディスク装置のＯＰＣ処理を伴う記録処理の一例を示すフローチャートである。なお、以下の図２及び図３のフローチャートの各ステップは、回路ブロックに置き換えることができ、従って、各フローチャートのステップは、全てブロックに定義しなおすことが可能である。
【００１２】
本発明の一実施形態に係る光ディスク装置１０は、図２のフローチャートに示すように、ＣＰＵ１１の制御下において、ユーザ等からの記録の開始指示がある際に（ステップＳ１１）、ディスク情報管理部２１の情報により、その光ディスクがＯＰＣを行なう必要があると判断すれば（ステップＳ１３）、ＯＰＣ処理部１５は、ヘッダ／ドライバ１８等を制御して、光ディスクＤの図示しない試し書き領域に試験データを試し書きする。そして、その試験データを読み出して検証することで、最適の記録ストラテジ等を決定する（ステップＳ１４）。その後、ＯＰＣ処理の結果に応じた記録ストラテジに基づき、ＣＰＵ１１及びファイルシステム部１３の制御下において、光ディスクＤの記録領域にデータの記録を行なう（ステップＳ１５）。
【００１３】
その後、ユーザの操作による操作信号等による記録の停止指示があれば（ステップＳ１６）、ＣＰＵ１１及びファイルシステム部１３は、後述する記録の停止処理を行なう（ステップＳ１７）。
【００１４】
（記録停止処理）
次に、上記した構成の光ディスク装置１０において、記録停止処理の手順を図３のフローチャートを用いて説明する。図３は、本発明の一実施形態に係る光ディスク装置の記録の停止処理の一例を示すフローチャートである。
【００１５】
本発明の一実施形態に係る光ディスク装置１０において、図３のフローチャートに示すように、図２のフローチャートのステップＳ１７の停止処理を受けると、ＣＰＵ１１及びファイルシステム部１３の制御によって、例えば映像データの記録処理の停止が行なわれる（ステップＳ２１）。
【００１６】
そして、記録された映像データ等の管理情報が光ディスクＤの記録領域に記録される（ステップＳ２２）。次に、ディスク情報管理部２１により、現在のカレントな停止位置から次の記録層の層境界までの距離（残量時間）が測定され、この距離と予め定められた閾値（α）が比較される（ステップＳ２３）。
【００１７】
そして、“停止位置から層境界までの距離”が閾値（α）よりも小さい場合は（ステップＳ２３）、ファイルシステム１３及びヘッダ／ドライバ部１８は、停止位置から次の層境界までの領域をダミーデータでパディング処理を行なう（ステップＳ２４）。更に、必要に応じて、第１層のみならず第２層にも映像管理情報が記録される（ステップＳ２５）。また、ステップＳ２２の第１層への映像管理情報の記録を行なわず、第２層に全ての映像管理情報を記録することも好適である。
【００１８】
また、ステップＳ２３で、“停止位置から層境界までの距離”が閾値（α）よりも大きい場合は、パディング処理はされることなく、必要な管理情報が記憶領域に記録される。
【００１９】
また、ステップＳ２３で“停止位置から層境界までの距離”が閾値（α）よりも小さい場合でも、必要な映像管理情報を記録した後に、残りの領域を層境界までパディング処理するという方法も好適である。
【００２０】
（閾値αとバッファ容量）
次に、具体的な停止位置を考慮して、閾値αとバッファ容量について図面を用いて説明する。図４は、本発明の一実施形態に係る光ディスク装置におけるデータバッファ部の働きの一例を示す説明図である。図５は、本発明の一実施形態に係る光ディスク装置における記録処理の停止位置とバッファ容量との関係の一例を示す説明図である。
【００２１】
図１に示すデータバッファ部１２−３は、例えば外部から入力される、例えば映像音声信号を一時的に格納する領域であり、入力容量Ｒｄが出力容量Ｒｔを越えるとき、映像音声信号がデータバッファ部１２−３に蓄積して行くことになる。
【００２２】
初めに、図５の停止位置のタイミングＴ１を考慮すると、図２のステップＳ１６にて映像音声信号等の供給を受けながら光ディスクＤの記録層に記録中に、ユーザ等の操作により停止指示を例えばタイミングＴ１で受けた場合を考える。
【００２３】
図５のタイミングＴ１で停止指示を受けた場合、１層目の記憶容量にまだ余裕がある状態から停止処理を受けたため、記録処理を再開する際は、記録始めのＯＰＣでバッファに溜まったデータは、グラフＧ１に示すようにその後１層目を記録している間にディスクへ吐き出される。従って、データバッファ部１２−３は、１回分のＯＰＣ処理の時間Ｔｏｐｃに応じたデータレートＲｄが示す容量（Ｒｄ×Ｔｏｐｃ）があればよい。
【００２４】
しかし、図５のタイミングＴ２で停止指示を受けた場合、１層目の記憶容量に余裕がない状態で停止処理を受けたため、記録処理を再開する際は、１層目のＯＰＣ処理と２層目のＯＰＣ処理とが近接して発生することとなる。この結果、グラフＧ２に示すように、記録始めのＯＰＣでデータバッファ部１２−３に溜まるデータは、１層目のＯＰＣ処理待ち時間Ｔｏｐｃ１による容量（Ｒｄ×Ｔｏｐｃ１）と２層目のＯＰＣ処理待ち時間Ｔｏｐｃ２による容量（Ｒｄ×Ｔｏｐｃ１）との合計に限りなく近い容量が必要となる。
【００２５】
このようなデータバッファ部１２−３の大容量化は、メモリ容量がコスト高を招く場合、光ディスク装置のコスト高の原因となってしまう。
【００２６】
・閾値α
次に、このようなデータバッファ部１２−３の大容量化を招くこととなる停止位置の範囲を特定する閾値αがどこに存在するかを図６及び図７を用いて考察する。図６及び図７は、本発明の一実施形態に係る光ディスク装置における記録処理の停止位置とバッファ容量との関係の一例を示す説明図である。
【００２７】
図６が示す停止位置のタイミングＴαでは、図６はその層の残り容量が容量Ｔｏｐｃ（１＋Ｒｄ／（Ｒｔ−Ｒｄ））×Ｒｄとほぼ同じとなっている。従って、第１層で一回目のＯＰＣ処理を行いこれが終了して記録処理を行なうことでデータバッファ部１２−３が空になった頃に、第２層目のＯＰＣ処理が開始している。従って、かろうじてデータバッファ部１２−３は、１回分のＯＰＣ処理の容量で済んでいる。
【００２８】
停止位置のタイミングＴがタイミングＴαより手前の場合は、グラフＧ３に示すように２つの山がオーバーラップすることは無いので、１つのＯＰＣ処理分のバッファサイズで十分である。従って、閾値αの一例は、このようなタイミングＴαから層境界Ｌまでの範囲であることが好適である。
【００２９】
図７は、その層の残り容量がＴｏｐｃ（１＋Ｒｄ／（Ｒｔ−Ｒｄ））×Ｒｄよりも小さい場合、その領域Ｐをパディング処理をして、第２層の開始タイミングＴ３で記録を再開した場合を示している。この場合に必要なデータバッファ部１２−３の容量は、グラフＧ４に示すように、１回のＯＰＣ分のバッファサイズで十分となる。
【００３０】
なお、上記した実施形態は、２層の多層光ディスクを例にとって説明したが、多層光ディスクは、３層、４層であってもかまわない。３層の場合は、更に第２層の閾値αが示す範囲で停止した場合に第２層の残りをパディング処理して第３層で記録を開始する。４層の場合は、更に第３層の閾値αが示す範囲で停止した場合に第４層の残りをパディング処理して第３層で記録を開始することが好適である。
【００３１】
また、上述した実施形態は、多層ディスクに限らず、例えばＡ面／Ｂ面自動切換えや複数のディスクを跨って記録する場合にも同様に適用することができる。
【００３２】
以上、上述した実施形態によれば、記録停止時に次の層の境界までの距離を取得し、その値が閾値α等よりも小さいときに、次のタイトルの記録を次の層から始まるようにその場所をパディングする。これにより、記録を開始する場合は次の層から記録を開始できるため、２つの層を跨って記録する場合に必要なデータバッファ部１２−３の容量は、ライトバッファサイズが１回のＯＰＣ処理分で済むこととなりコストダウンを可能とする。
【００３３】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００３４】
【図１】本発明の一実施形態に係る光ディスク装置の構成の一例を示すブロック図。
【図２】本発明の一実施形態に係る光ディスク装置のＯＰＣ処理を伴う記録処理の一例を示すフローチャート。
【図３】本発明の一実施形態に係る光ディスク装置の記録の停止処理の一例を示す説明図。
【図４】本発明の一実施形態に係る光ディスク装置におけるデータバッファ部の働きの一例を示す説明図。
【図５】本発明の一実施形態に係る光ディスク装置における記録処理の停止位置とバッファ容量との関係の一例を示す説明図。
【図６】本発明の一実施形態に係る光ディスク装置における記録処理の停止位置とバッファ容量との関係の一例を示す説明図。
【図７】本発明の一実施形態に係る光ディスク装置における記録処理の停止位置とバッファ容量との関係の一例を示す説明図。
【符号の説明】
【００３５】
Ｄ…光ディスク、１１…ＣＰＵ、１２…映像データ入力部、１２−２…映像データ出力部、１３…ファイルシステム部、１５…ＯＰＣ処理部、１７…ドライブ部、１８…ヘッダ／ドライバ部、１９…記録停止位置測定部、２１…ディスク情報管理部。
【図１】
2008159220.tif 000003
【図２】
2008159220.tif 000004
【図３】
2008159220.tif 000005
【図４】
2008159220.tif 000006
【図５】
2008159220.tif 000007
【図６】
2008159220.tif 000008
【図７】
2008159220.tif 000009